(57)【要約】【課題】  口金の端子が損傷することを抑制可能なＬＥＤランプを提供すること。【解決手段】  ｘ方向に並べられた複数のＬＥＤ発光部２００と、ｘ方向に長く延びており、複数のＬＥＤ発光部２００からの光を透過する透光カバー４００と、ｘ方向に対して直角であるｙ方向に離間して並びｘ方向に突出する２本の棒状の端子６２０を有し、複数のＬＥＤ発光部２００に電力供給するための口金６００と、を備えるＬＥＤランプ１０１であって、２本の端子６２０の間に介在する保護具７００をさらに備える。【選択図】  図１
2014165013.tif 000002
【特許請求の範囲】
【請求項１】
第１方向に並べられた複数のＬＥＤ発光部と、
上記第１方向に長く延びており、上記複数のＬＥＤ発光部からの光を透過する透光カバーと、
上記第１方向に対して直角である第２方向に離間して並び上記第１方向に突出する２本の棒状の端子を有し、上記複数のＬＥＤ発光部に電力供給するための口金と、を備えるＬＥＤランプであって、
上記２本の端子の間に介在する保護具をさらに備えることを特徴とする、ＬＥＤランプ。
【請求項２】
上記保護具は、絶縁材料からなる、請求項１に記載のＬＥＤランプ。
【請求項３】
上記保護具は、上記２本の端子から取り外し可能である、請求項１または２に記載のＬＥＤランプ。
【請求項４】
上記保護具には、外力を受けることにより折損を誘発する折損誘発部が形成されている、請求項３に記載のＬＥＤランプ。
【請求項５】
上記保護具は、上記２本の端子に対して上記第１方向にスライド可能である、請求項１ないし４のいずれかに記載のＬＥＤランプ。
【請求項６】
上記口金には、上記保護具を収容可能な凹部が形成されている、請求項５に記載のＬＥＤランプ。
【請求項７】
上記保護具は、上記２本の端子に接触する２つの接触部と、これらの接触部を連結する連結部とを有する、請求項１ないし６のいずれかに記載のＬＥＤランプ。
【請求項８】
上記接触部は、円環状である、請求項７に記載のＬＥＤランプ。
【請求項９】
上記接触部は、円弧状である、請求項７に記載のＬＥＤランプ。
【請求項１０】
上記２つの接触部の一方が、上記端子の円周のうち１８０度以上の部位を覆っている、請求項９に記載のＬＥＤランプ。
【請求項１１】
上記２つの接触部の他方が、上記端子の円周のうち９０度以上１８０度以下を覆っている、請求項１０に記載のＬＥＤランプ。
【請求項１２】
上記保護具は、上記連結部から上記第１および第２方向のいずれに対しても直角である第３方向において上記接触部よりも突出する緩衝部を有する、請求項７ないし１１のいずれかに記載のＬＥＤランプ。
【請求項１３】
上記緩衝部は、先端が根元よりも大である、請求項１２に記載のＬＥＤランプ。
【請求項１４】
上記透光カバーは、上記複数のＬＥＤ発光部からの光を拡散させる、請求項１ないし１３のいずれかに記載のＬＥＤランプ。
【請求項１５】
上記透光カバーは、円筒形状である、請求項１４に記載のＬＥＤランプ。
【請求項１６】
上記透光カバーは、断面円弧状である、請求項１４に記載のＬＥＤランプ。
【請求項１７】
上記ＬＥＤ発光部を支持する放熱部材を備えており、
上記放熱部材が、上記透光カバーに収容されている、請求項１５に記載のＬＥＤランプ。
【請求項１８】
上記ＬＥＤ発光部を支持する放熱部材を備えており、
上記放熱部材が、上記透光カバーから露出している、請求項１６に記載のＬＥＤランプ。
【請求項１９】
上記ＬＥＤ発光部は、ＬＥＤチップ、このＬＥＤチップを覆う透光樹脂、および実装端子を有するＬＥＤモジュールからなる、請求項１ないし１８のいずれかに記載のＬＥＤランプ。
【請求項２０】
上記ＬＥＤ発光部と上記放熱部材との間に介在する基板を備えており、
上記ＬＥＤ発光部は、上記基板に直接搭載されたＬＥＤチップからなる、請求項１ないし１８のいずれかに記載のＬＥＤランプ。
【発明の詳細な説明】
【技術分野】
【０００１】
本発明は、直管形蛍光灯の代替品として用いられるＬＥＤランプに関する。
【背景技術】
【０００２】
省電力化を目的として、蛍光灯に代わる照明手段としてＬＥＤ発光部を有するＬＥＤランプが提案されている。特許文献１には、直管形蛍光灯の代替品として用いられるＬＥＤランプが記載されている。このＬＥＤランプは、複数のＬＥＤ発光部、透光カバーおよび口金を備えている。上記複数のＬＥＤ発光部は、長手方向に配列されている。上記透光カバーは、円筒形状であり、上記複数のＬＥＤ発光部からの光を透過させる。上記口金は、上記透光カバーの長手方向端部に取り付けられている。この口金は、２本の棒状の端子を有している。従来の直管形蛍光灯が取り付けられることが意図された照明器具に上記ＬＥＤランプを取り付ける際には、上記口金の上記２本の端子が上記照明器具のソケットに挿入される。
【０００３】
直管形蛍光灯においては、透光カバーはガラスからなる。このため、直管形蛍光灯の搬送途中や取り付け時に誤って落下させるなどすると、透光カバーが割れてしまう。このため、損傷を受けた直管形蛍光灯が照明器具に取り付けられて使用されるおそれは少ない。一方、上記ＬＥＤランプにおいては、上記透光カバーがたとえば樹脂などによって形成されることが多い。このため、上記ＬＥＤランプを誤って落下させても、上記透光カバーが割れることはほとんど無い。たとえば、上記ＬＥＤランプを落下させた時に、上記口金の上記端子に衝撃が加わると、上記端子が一時的に歪んだり傾いたりする。これにより、上記口金の内部において断線などが生じるおそれがある。しかし、上記端子の外見が極端に歪んでいるなどの状態でなければ、使用者は内部での断線などを認識できない。このため、点灯させるには不適な状態となった上記ＬＥＤランプを上記照明器具に取り付けてしまうという問題があった。
【先行技術文献】
【特許文献】
【０００４】
【特許文献１】特開２００４−３３５４２６号公報
【発明の概要】
【発明が解決しようとする課題】
【０００５】
本発明は、上記した事情のもとで考え出されたものであって、口金の端子が損傷することを抑制可能なＬＥＤランプを提供することをその課題とする。
【課題を解決するための手段】
【０００６】
本発明によって提供されるＬＥＤランプは、第１方向に並べられた複数のＬＥＤ発光部と、上記第１方向に長く延びており、上記複数のＬＥＤ発光部からの光を透過する透光カバーと、上記第１方向に対して直角である第２方向に離間して並び上記第１方向に突出する２本の棒状の端子を有し、上記複数のＬＥＤ発光部に電力供給するための口金と、を備えるＬＥＤランプであって、上記２本の端子の間に介在する保護具をさらに備えることを特徴としている。
【０００７】
本発明の好ましい実施の形態においては、上記保護具は、絶縁材料からなる。
【０００８】
本発明の好ましい実施の形態においては、上記保護具は、上記２本の端子から取り外し可能である。
【０００９】
本発明の好ましい実施の形態においては、上記保護具には、外力を受けることにより折損を誘発する折損誘発部が形成されている。
【００１０】
本発明の好ましい実施の形態においては、上記保護具は、上記２本の端子に対して上記第１方向にスライド可能である。
【００１１】
本発明の好ましい実施の形態においては、上記口金には、上記保護具を収容可能な凹部が形成されている。
【００１２】
本発明の好ましい実施の形態においては、上記保護具は、上記２本の端子に接触する２つの接触部と、これらの接触部を連結する連結部とを有する。
【００１３】
本発明の好ましい実施の形態においては、上記接触部は、円環状である。
【００１４】
本発明の好ましい実施の形態においては、上記接触部は、円弧状である。
【００１５】
本発明の好ましい実施の形態においては、上記２つの接触部の一方が、上記端子の円周のうち１８０度以上の部位を覆っている。
【００１６】
本発明の好ましい実施の形態においては、上記２つの接触部の他方が、上記端子の円周のうち９０度以上１８０度以下を覆っている。
【００１７】
本発明の好ましい実施の形態においては、上記保護具は、上記連結部から上記第１および第２方向のいずれに対しても直角である第３方向において上記接触部よりも突出する緩衝部を有する。
【００１８】
本発明の好ましい実施の形態においては、上記緩衝部は、先端が根元よりも大である。
【００１９】
本発明の好ましい実施の形態においては、上記透光カバーは、上記複数のＬＥＤ発光部からの光を拡散させる。
【００２０】
本発明の好ましい実施の形態においては、上記透光カバーは、円筒形状である。
【００２１】
本発明の好ましい実施の形態においては、上記透光カバーは、断面円弧状である。
【００２２】
本発明の好ましい実施の形態においては、上記ＬＥＤ発光部を支持する放熱部材を備えており、上記放熱部材が、上記透光カバーに収容されている。
【００２３】
本発明の好ましい実施の形態においては、上記ＬＥＤ発光部を支持する放熱部材を備えており、上記放熱部材が、上記透光カバーから露出している。
【００２４】
本発明の好ましい実施の形態においては、上記ＬＥＤ発光部は、ＬＥＤチップ、このＬＥＤチップを覆う透光樹脂、および実装端子を有するＬＥＤモジュールからなる。
【００２５】
本発明の好ましい実施の形態においては、上記ＬＥＤ発光部と上記放熱部材との間に介在する基板を備えており、上記ＬＥＤ発光部は、上記基板に直接搭載されたＬＥＤチップからなる。
【００２６】
このような構成によれば、上記ＬＥＤランプが意図せず落下したなどの場合に、上記保護具を介して上記２本の端子の双方によって落下による衝撃力を負担することができる。このため、上記２本の端子のいずれか一方のみに過大な衝撃力が負荷されることを回避することができる。また、上記２本の端子が上記保護具によって連結された格好となるため、上記２本の端子の剛性が上記保護具によって高められる。したがって、上記端子が不当に歪んだり傾いたりすることを防止可能であり、上記口金の内部における断線などを回避することができる。
【００２７】
本発明のその他の特徴および利点は、添付図面を参照して以下に行う詳細な説明によって、より明らかとなろう。
【図面の簡単な説明】
【００２８】
【図１】本発明の第１実施形態に基づくＬＥＤランプを示す要部斜視図である。
【図２】図１のＬＥＤランプを示す要部拡大斜視図である。
【図３】図１のＩＩＩ−ＩＩＩ線に沿う断面図である。
【図４】図１のＬＥＤランプを示す側面図である。
【図５】図４のＶ−Ｖ線に沿う要部拡大断面図である。
【図６】図１のＬＥＤランプのＬＥＤ発光部の一例を示す要部拡大断面図である。
【図７】図１のＬＥＤランプのＬＥＤ発光部の他の例を示す要部拡大断面図である。
【図８】本発明の第２実施形態に基づくＬＥＤランプを示す側面図である。
【図９】本発明の第３実施形態に基づくＬＥＤランプを示す側面図である。
【図１０】本発明の第４実施形態に基づくＬＥＤランプを示す側面図である。
【図１１】本発明の第５実施形態に基づくＬＥＤランプを示す要部拡大斜視図である。
【図１２】図１１のＬＥＤランプを示す側面図である。
【図１３】図１２のＸＩＩＩ−ＸＩＩＩ線に沿う要部断面図である。
【図１４】図１１のＬＥＤランプを照明器具に取り付ける状態を示す要部断面図である。
【図１５】本発明の第６実施形態に基づくＬＥＤランプを示す側面図である。
【図１６】本発明の第７実施形態に基づくＬＥＤランプを示す側面図である。
【図１７】本発明に係るＬＥＤランプの断面構造の他の例を示す断面図である。
【発明を実施するための形態】
【００２９】
以下、本発明の好ましい実施の形態につき、図面を参照して具体的に説明する。
【００３０】
図１〜図４は、本発明の第１実施形態に基づくＬＥＤランプを示している。本実施形態のＬＥＤランプ１０１は、複数のＬＥＤ発光部２００、基板３００、透光カバー４００、放熱部材５００、２つの口金６００および２つの保護具７００を備えている。ＬＥＤランプ１０１は、いわゆる直管形蛍光灯の代替品として用いられることが意図されている。
【００３１】
複数のＬＥＤ発光部２００は、ＬＥＤランプの光源であり、本実施形態においては、たとえば昼光色などの白色光を発する。複数のＬＥＤ発光部２００は、ｘ方向に沿って１列に配置されている。なお、複数のＬＥＤ発光部２００が複数列に配置された構成であってもよい。
【００３２】
図６は、ＬＥＤ発光部２００の一例を示している。同図のＬＥＤ発光部２００は、ＬＥＤチップ２０１、透光樹脂２０２、実装端子２０３およびケース２０４を具備するＬＥＤモジュールとして構成されている。ＬＥＤチップ２０１は、いわゆる２ワイヤタイプのＬＥＤチップとして構成されており、たとえば青色光を発する。透光樹脂２０２は、ＬＥＤチップ２０１を覆っており、たとえば透明樹脂に蛍光材料が混入された材質からなる。この蛍光材料は、ＬＥＤチップ２０１からの青色光によって励起されることにより黄色光を発する。この蛍光材料の種類および濃度は、ＬＥＤチップ２０１からの青色光とこの蛍光材料からの黄色光とが混色することにより昼白色などの白色を呈するように調整されている。実装端子２０３は、ＬＥＤ発光部２００をたとえば面実装するためのものであり、たとえばＣｕ合金などからなるリードの裏面である。このリードの表面には、ＬＥＤチップ２０１が実装され、あるいはワイヤがボンディングされている。ケース２０４は、たとえば白色樹脂からなり、ＬＥＤチップ２０１を囲む枠状である。ケース２０４の内側面は、ＬＥＤチップ２０１からの光を反射することによりこの光を出射させるリフレクタとして機能している。
【００３３】
基板３００は、ｘ方向を長手方向とし、ｙ方向を幅方向とする長矩形状である。基板３００には、複数のＬＥＤ発光部２００が実装されている。図６に示す例においては、基板３００は、基材３１０および配線パターン３２０からなる。基材３１０は、たとえばガラスエポキシ樹脂からなる。配線パターン３２０は、基材３１０の表面に形成されており、たとえばＡｕ，Ａｇなどの金属からなる。配線パターン３２０は、複数のＬＥＤ発光部２００を発光させる電力を供給する電流経路を構成している。
【００３４】
図７は、ＬＥＤ発光部２００の他の例を示している。同図のＬＥＤ発光部２００は、ＬＥＤチップ２０１および透光樹脂２０２によって構成されている。ＬＥＤチップ２０１の構成および透光樹脂２０２の材質などは上述した通りである。ＬＥＤチップ２０１は、基板３００に直接搭載されており、いわゆるベアチップタイプとされている。透光樹脂２０２は、たとえばＬＥＤチップ２０１を覆うようにして液状の樹脂材料を滴下し、この樹脂材料を硬化させることによって形成される。図７に示す例においては、基板３００は、たとえばセラミックスまたは表面に絶縁化処理が施されたアルミからなる基材３１０と配線パターン３２０とからなる。
【００３５】
放熱部材５００は、ＬＥＤ発光部２００を支持するとともに、ＬＥＤ発光部２００からの放熱を促進するためのものである。図１および図３に示すように、放熱部材５００は、ｘ方向に長く延びる細長状であり、たとえばアルミを押出成形することによって形成されている。放熱部材５００は、天板５１０および１対の側板５２０を有している。天板５１０は、ｘ方向に長く延びる長矩形状である。天板５１０には、支持凹部５１１が形成されている。支持凹部５１１には、基板３００が取り付けられている。なお、本実施形態とは異なり、放熱部材５００に配線パターンを形成し、放熱部材５００に複数のＬＥＤ発光部２００が直接搭載される構成であってもよい。この場合、基板３００は省略できる。１対の側板５２０は、天板５１０のｙ方向両端部から、ｚ方向下方に向かって延びている。各側板５２０は、リブ５２２を有している。リブ５２２は、側板５２０からｙ方向外方に向けて突出している。
【００３６】
透光カバー４００は、ＬＥＤ発光部２００からの光を拡散させつつ透過させるものであり、本実施形態においては、円筒形状とされている。透光カバー４００は、たとえば半透明の乳白色樹脂からなる。透光カバー４００の透過率αは、５０％以上かつ７０％以下が好ましく、より好ましくは６０％程度である。透光カバー４００は、放熱部材５００、基板３００、複数のＬＥＤ発光部２００を収容している。なお、本発明で言う透光カバーは、ＬＥＤ発光部２００からの光を透過させるものであればよい。
【００３７】
１対の口金６００は、直管形蛍光灯用の照明器具のソケットにＬＥＤランプ１０１を固定するための部位である。口金６００は、ケース６１０および２本の端子６２０を有している。ケース６１０は、たとえば樹脂からなり、本実施形態においては、略有底円筒形状とされている。たとえば、ケース６１０は、放熱部材５００に取り付けられる。また、ケース６１０に透光カバー４００が取り付けられる。
【００３８】
２つの端子６２０は、たとえば金属製の棒状部材であり、各々がケース６１０からｘ方向に突出しており、ｙ方向において平行に並べられている。２つの端子６２０は、一般的な直管形蛍光灯用の照明器具のソケットに挿入される部位であり、複数のＬＥＤ発光部２００を発光させるための電力を供給する経路となるものであり、１つの口金６００に２つの端子６２０が設けられている。後述するとおり、端子６２０は、たとえばケーブルを介して基板３００の配線パターン３２０に導通している。
【００３９】
２つの保護具７００は、１対の口金６００に各別に取り付けられている。各保護具７００は、２本の端子６２０の間に介在している。本実施形態においては、保護具７００は、２つの接触部７１０および連結部７２０を有している。また、保護具７００は、たとえばプラスティックなどの絶縁材料によって形成されている。なお、後述するように、保護具７００が２本の端子６２０から取り外し可能な構成である場合、保護具７００の材質は絶縁材料に限定されず、たとえば金属などによって形成してもよい。図２に示すように、保護具７００は、ｘ方向において端子６２０の長さの半分の位置から根元側１／３程度の位置にかけての任意の位置に設けられることが好ましい。
【００４０】
図２および図４に示すように、本実施形態の保護具７００は、２つの接触部７１０および連結部７２０を有している。２つの接触部７１０は、２本の端子６２０に接触する部位である。本実施形態においては、接触部７１０は、ｘ方向視において円弧形状とされている。２つの接触部７１０が開いている方向は、ｙ方向において互いに反対方向となっている。図４において、図中左方にある接触部７１０は、図中左方の端子６２０の図中右方側部分に接触している。一方、図中右方にある接触部７１０は、図中右方の端子６２０の図中左方部分に接触している。本実施形態の接触部７１０は、端子６２０の円周のうち１８０度の部分に接触している。なお、接触部７１０を端子６２０に接触させ、保護具７００を２本の端子６２０の間に介在させるには、少なくとも一方の接触部７１０を端子６２０の円周の１８０度以上の部位に接触させることが好ましい。
【００４１】
連結部７２０は、２つの接触部７１０を連結しており、本実施形態においては、ｙ方向に延びる帯状部分とされている。本実施形態においては、連結部７２０のｚ方向寸法は、接触部７１０のｚ方向寸法よりも小とされているが、連結部７２０の構成はこれに限定されず、連結部７２０のｚ方向寸法が、接触部７１０のｚ方向と同じ、あるいはそれ以上であってもよい。
【００４２】
本実施形態においては、保護具７００は、折損誘発部７３０を有している。折損誘発部７３０は、外力が加えられることにより、保護具７００が折損することを誘発する部位である。本実施形態の折損誘発部７３０は、連結部７２０に形成された溝によって構成されている。より具体的には、折損誘発部７３０は、連結部７２０のｙ方向中央においてｚ方向に延びる溝であり、図５に示すように、たとえばＶ字溝とされている。たとえば、ＬＥＤランプ１０１を照明器具に取り付ける直前に、保護具７００に外力を加えると、保護具７００は、折損誘発部７３０を起点として容易に折損する。この折損した保護具７００を取り除いた後に、ＬＥＤランプ１０１を上記照明器具に取り付ける。
【００４３】
なお、本発明で言う折損誘発部は、外力が加えられることにより保護具７００を折損させうる構成であればよい。たとえば、連結部７２０の両面に設けられた２つの溝によって構成されていてもよい。また、上記溝は、連結部７２０の全幅に形成されたもの以外に、幅方向における一部に形成されたものであってもよい。あるいは、複数の凹部または貫通孔によって折損誘発部を構成してもよい。さらに、折損誘発部が設けられる部位は、連結部７２０に限定されず、保護具７００を折損させうる部位に設けられればよい。
【００４４】
次に、ＬＥＤランプ１０１の作用について説明する。
【００４５】
本実施形態によれば、２本の端子６２０の間に保護具７００が介在している。このため、ＬＥＤランプ１０１が意図せず落下したなどの場合に、保護具７００を介して２本の端子６２０の双方によって落下による衝撃力を負担することができる。このため、２本の端子６２０のいずれか一方のみに過大な衝撃力が負荷されることを回避することができる。また、２本の端子６２０が保護具７００によって連結された格好となるため、２本の端子６２０の剛性が保護具７００によって高められる。したがって、端子６２０が不当に歪んだり傾いたりすることを防止可能であり、口金６００の内部における断線などを回避することができる。
【００４６】
保護具７００が２本の端子６２０から取り外し可能であることにより、ＬＥＤランプ１０１の搬送や取り付け作業においては、上述した保護具７００による保護機能を果たしつつ、ＬＥＤランプ１０１を上記照明器具に取り付けた際には、保護具７００がＬＥＤランプ１０１の取り付けなどを不当に妨害することがないという利点がある。
【００４７】
図４に示すように、接触部７１０が円弧形状であることにより、接触部７１０を端子６２０に適切に接触させることができる。この接触により、保護具７００が２本の端子６２０から脱落してしまうことを防止することができる。２つの接触部７１０がｙ方向において互いに反対側に開口することにより、保護具７００を２つの端子６２０に取り付ける際に、保護具７００を容易に取り付けることができる。接触部７１０が端子６２０の円周の１８０度以上の部分に接触することは、脱落防止と取り付けの容易化とを両立するのに好ましい。
【００４８】
連結部７２０の中央部分に折損誘発部７３０を設けることにより、折損を適切に誘発することができる。溝からなる折損誘発部７３０は、容易に形成可能であるとともに、折損を確実に誘発できるという利点がある。
【００４９】
図８〜図１７は、本発明の他の実施形態を示している。なお、これらの図において、上記実施形態と同一または類似の要素には、上記実施形態と同一の符号を付している。
【００５０】
図８は、本発明の第２実施形態に基づくＬＥＤランプを示している。本実施形態のＬＥＤランプ１０２においては、保護具７００の接触部７１０の構成が、上述したＬＥＤランプ１０１と異なっている。本実施形態においては、図中右方の接触部７１０は、ＬＥＤランプ１０１における接触部７１０と同様に、端子６２０の円周の１８０度の部位に接触している。一方、図中左方の接触部７１０は、端子６２０の円周の１３５度程度の部位に接触している。より詳しくは、接触部７１０は、端子６２０の円周の図中右下１／４の部位に接触し、かつ端子６２０の円周の図中上側１／８程度の部位に接触している。
【００５１】
このような実施形態によっても、端子６２０が不当に歪んだり傾いたりすることを防止可能であり、口金６００の内部における断線などを回避することができる。また、左方の接触部７１０が端子６２０の円周の９０度〜１８０度の部分に接触する構成とすることにより、保護具７００の２本の端子６２０への取り付けをより容易とすることができる。さらに、ＬＥＤランプ１０２を上記照明器具に取り付ける際には、保護具７００を速やかに取り除くことができる。このように、保護具７００が２本の端子６２０から容易に取り除くことが可能な形状である場合、折損誘発部７３０は、必ずしも設けられる必要はなく、適宜省略することができる。
【００５２】
図９は、本発明の第３実施形態に基づくＬＥＤランプを示している。本実施形態のＬＥＤランプ１０３においては、保護具７００の連結部７２０の構成が、上述したＬＥＤランプ１０１，１０２と異なっている。本実施形態においては、保護具７００は、２つの緩衝部７４０を有している。各緩衝部７４０は、連結部７２０からｚ方向に突出しており、２つの緩衝部７４０は、互いに反対方向に突出している。各緩衝部７４０は、先端に向かうほどｙ方向寸法が小となる台形状とされている。また、各緩衝部７４０のｚ方向先端は、接触部７１０のｚ方向先端よりもｚ方向に突出している。
【００５３】
このような実施形態によっても、端子６２０が不当に歪んだり傾いたりすることを防止可能であり、口金６００の内部における断線などを回避することができる。また、２本の端子６２０をｚ方向に傾ける外力が発生するようにＬＥＤランプ１０３が落下などした場合に、ｚ方向に突出する緩衝部７４０によって、端子６２０に加えられる衝撃を和らげることができる。
【００５４】
図１０は、本発明の第４実施形態に基づくＬＥＤランプを示している。本実施形態のＬＥＤランプ１０４においては、保護具７００の緩衝部７４０の構成が、上述したＬＥＤランプ１０３と異なっている。本実施形態の緩衝部７４０は、根元部７４１および先端部７４２を有している。根元部７４１は、連結部７２０からｚ方向に延びている。先端部７４２は、根元部７４１に対してｚ方向外方に繋がっている。先端部７４２のｙ方向寸法は、根元部７４１のｙ方向寸法よりも顕著に大とされている。
【００５５】
このような実施形態によっても、端子６２０が不当に歪んだり傾いたりすることを防止可能であり、口金６００の内部における断線などを回避することができる。また、根元部７４１が先端部７４２よりもｙ方向寸法が小であることにより、緩衝部７４０に外力が加わると、根元部７４１が適宜弾性変形することが期待できる。これにより、２本の端子６２０に加えられる衝撃力をより和らげることができる。
【００５６】
なお、ＬＥＤランプ１０１，１０２における接触部７１０とＬＥＤランプ１０３，１０４における緩衝部７４０とは、適宜組み合わせることができる。
【００５７】
図１１〜図１４は、本発明の第５実施形態に基づくＬＥＤランプを示している。本実施形態のＬＥＤランプ１０５においては、２つの接触部７１０が円環状とされている。接触部７１０の内径は、端子６２０の外形を基準として設定される。保護具７００が端子６２０から不当に脱落してしまうことを防止するには、接触部７１０の内径は、端子６２０の外形と同じであるか若干小であることが好ましい。ただし、本実施形態においては、保護具７００が２本の端子６２０に対してスライド可能であることが意図されている。このため、接触部７１０の内径は、端子６２０に対して保護具７００のスライドを許容する程度の大きさが好ましい。
【００５８】
口金６００のケース６１０には、凹部６１１が形成されている。凹部６１１は、ケース６１０のｘ方向先端からｘ方向に凹んでいる。図１２に示すように、凹部６１１は、ｘ方向視において保護具７００のすべてを内包する形状および大きさとされている。本実施形態に置いては、凹部６１１は、略楕円形状とされている。また、凹部６１１のｘ方向深さは、保護具７００のｘ方向厚さよりも大とされてる。これにより、凹部６１１は、保護具７００を収容可能となっている。
【００５９】
図１３は、ＬＥＤランプ１０５を照明器具８００に取り付ける直前の状態を示している。照明器具８００は、直管形蛍光灯を取り付けることが意図された構成とされており、ソケット８１０を有している。ソケット８１０は、２本の端子６２０が挿入される部位である。照明器具８００取り付けられる前の状態においては、保護具７００は、端子６２０のうち少なくともケース６１０から突出する部分に取り付けられている。より具体的には、たとえば端子６２０の長さの半分か、根元から１／３程度の部分に取り付けられている。なお、本図に示すように、端子６２０は、たとえばケーブル６２１によって基板３００に接続されている。
【００６０】
図１４は、ＬＥＤランプ１０５の口金６００が照明器具８００のソケット８１０に取り付けられた状態を示している。同図に示すように、２本の端子６２０がソケット８１０に設けられた孔に挿入される。この際、ソケット８１０によって保護具７００がｘ方向図中右方に押される格好となる。口金６００がソケット８１０に取り付けられると、ソケット８１０が口金６００のケース６１０に接するか、ごく近い位置に近接することとなる。このため、保護具７００は、少なくともその一部かその全体が、凹部６１１に収容される。
【００６１】
このような実施形態によっても、端子６２０が不当に歪んだり傾いたりすることを防止可能であり、口金６００の内部における断線などを回避することができる。また、ＬＥＤランプ１０５を照明器具８００に取り付ける作業を行うことにより、保護具７００を口金６００の凹部６１１に自然と収納することができる。このため、ＬＥＤランプ１０５の取付作業に先立ち、保護具７００を取り外す必要がない。なお、本実施形態の場合、２本の端子６２０に接する保護具７００がＬＥＤランプ１０５に残存するため、保護具７００は絶縁材料によって形成される。
【００６２】
接触部７１０が円環形状であることにより、保護具７００を２本の端子６２０に確実に取り付けることができる。保護具７００が２本の端子６２０に対してスライド可能であるため、上述したように、保護具７００を凹部６１１に適切に収納することができる。
【００６３】
図１５は、本発明の第６実施形態に基づくＬＥＤランプを示している。本実施形態のＬＥＤランプ１０６は、保護具７００の接触部７１０の構成が、上述したＬＥＤランプ１０５と異なっている。本実施形態においては、接触部７１０に切り欠き７１１が形成されている。このような接触部７１０は、ｚ方向視において円弧形状であると言えるが、切り欠き７１１が微小であると円環形状であるとも言える。
【００６４】
このような実施形態によっても、端子６２０が不当に歪んだり傾いたりすることを防止可能であり、口金６００の内部における断線などを回避することができる。また、接触部７１０の内径をＬＥＤランプ１０５における内径よりも若干小としても、切り欠き７１１が設けられていることにより、接触部７１０は端子６２０の外形に応じて適宜弾性変形可能である。したがって、保護具７００を２本の端子６２０に対してより確実に取り付けることができる。
【００６５】
図１６は、本発明の第７実施形態に基づくＬＥＤランプを示している。本実施形態のＬＥＤランプ１０７においては、保護具７００に２つの緩衝部７４０が設けられている点が、上述したＬＥＤランプ１０５と異なっている。２つの緩衝部７４０は、ＬＥＤランプ１０３を例に述べた構成と同様である。また、ケース６１０の凹部６１１のｘ方向視形状は、保護具７００の形状に対応して、ｙ方向中央部分がｚ方向に突出した形状となっている。これにより、凹部６１１は、ｘ方向視において保護具７００のすべてを内包している。
【００６６】
このような実施形態によっても、端子６２０が不当に歪んだり傾いたりすることを防止可能であり、口金６００の内部における断線などを回避することができる。さらに、２本の端子６２０をｚ方向に傾ける外力が加えられる際に、これによる衝撃力を緩衝部７４０によって和らげることができる。
【００６７】
本実施形態から理解されるように、ＬＥＤランプ１０３，１０４の緩衝部７４０をＬＥＤランプ１０５，１０６の保護具７００に適宜組み合わせることができる。
【００６８】
図１７は、ＬＥＤランプ１０１〜１０７の変形例を示すｙｚ平面に沿う断面図である。本図に示す構成においては、透光カバー４００は、断面円弧形状とされている。このため、放熱部材５００が図中ｚ方向下方に露出している。放熱部材５００には、複数のフィン５５０が形成されている。複数のフィン５５０は、ｚ方向下方に突出しておりｘ方向に長く延びている。
【００６９】
本発明に係るＬＥＤランプは、上述した実施形態に限定されるものではない。本発明に係るＬＥＤランプの各部の具体的な構成は、種々に設計変更自在である。
【符号の説明】
【００７０】
１０１〜１０７  ＬＥＤランプ
２００  ＬＥＤ発光部
２０１  ＬＥＤチップ
２０２  透光樹脂
２０３  実装端子
２０４  ケース
３００  基板
３１０  基材
３２０  配線パターン
４００  透光カバー
５００  放熱部材
５１０  天板
５１１  支持凹部
５２０  側板
５２２  リブ
５５０  フィン
６００  口金
６１０  ケース
６１１  凹部
６２０  端子
６２１  ケーブル
７００  保護具
７１０  接触部
７１１  切り欠き
７２０  連結部
７３０  折損誘発部
７４０  緩衝部
７４１  根元部
７４２  先端部
８００  照明器具
８１０  ソケット
【図１】
2014165013.tif 000003
【図２】
2014165013.tif 000004
【図３】
2014165013.tif 000005
【図４】
2014165013.tif 000006
【図５】
2014165013.tif 000007
【図６】
2014165013.tif 000008
【図７】
2014165013.tif 000009
【図８】
2014165013.tif 000010
【図９】
2014165013.tif 000011
【図１０】
2014165013.tif 000012
【図１１】
2014165013.tif 000013
【図１２】
2014165013.tif 000014
【図１３】
2014165013.tif 000015
【図１４】
2014165013.tif 000016
【図１５】
2014165013.tif 000017
【図１６】
2014165013.tif 000018
【図１７】
2014165013.tif 000019